(57)【要約】【課題】ハンマーストロークを容易かつ適切に調整でき、それにより、ピアノ音の音量および打弦タイミングを良好に維持することができるアップライト型ピアノのハンマーレール装置を提供する。【解決手段】鍵４の押鍵に伴って後方の弦Ｓに向かって回動する複数のハンマー５を、離鍵状態において支持するアップライト型ピアノ２のハンマーレール装置１であって、左右方向に並んで設けられ、上下方向に貫通するねじ孔１５ｂが形成された複数のブラケット１５と、ねじ孔１５ｂに進退自在にねじ込まれたねじ１６と、複数のブラケット１５の上方に配置され、ねじ１６の上端部に一体に設けられたレール載置部１７と、左右方向に延び、アーム２２を介して複数のブラケット１５に回動自在に連結され、レール載置部１７に載置されるとともに、離鍵状態において、複数のハンマー５を支持するハンマーレール２１と、を備える。【選択図】図１
2008020518.tif 000002
【特許請求の範囲】
【請求項１】
鍵の押鍵に伴って後方の弦に向かって回動する複数のハンマーを、離鍵状態において支持するアップライト型ピアノのハンマーレール装置であって、
左右方向に並んで設けられるとともに、上下方向に貫通するねじ孔が形成された複数のブラケットと、
当該複数のブラケットの前記ねじ孔に進退自在にねじ込まれたねじと、
前記複数のブラケットの上方に配置され、前記ねじの上端部に一体に設けられたレール載置部と、
前後方向に延び、後端部において、前記複数のブラケットの各々に回動自在に取り付けられたアームと、
左右方向に延び、前記アームを介して前記複数のブラケットに回動自在に連結され、前記レール載置部に載置されるとともに、離鍵状態において、前記複数のハンマーを支持するハンマーレールと、
を備えることを特徴とするアップライト型ピアノのハンマーレール装置。
【発明の詳細な説明】
【技術分野】
【０００１】
本発明は、鍵の押鍵に伴って後方の弦に向かって回動する複数のハンマーを、離鍵状態において支持するアップライト型ピアノのハンマーレール装置に関する。
【背景技術】
【０００２】
アップライトピアノは一般に、回動自在の鍵と、鍵の押鍵に連動して後方に回動し、弦を打弦する複数のハンマーなどを備えている。また、左右のブラケットの間には、左右方向に延びるハンマーレールが渡されており、ハンマーレールの背面にはフェルトが貼り付けられている。複数のハンマーは、離鍵状態において、フェルトを介してハンマーレールに斜めに当接した状態で支持されており、弦と対向している。
【０００３】
上記のようにハンマーが離鍵状態において、ハンマーレールに支持されるため、ハンマーレールは、離鍵状態におけるハンマーと弦との間の距離（以下「ハンマーストローク」という）を定める。このため、ハンマーレールに貼り付けたフェルトが経時的な変化や摩耗によって薄くなった場合には、ハンマーストロークが長くなる。また、木材で構成された響板の反りや変形によって、そのむくりが変化した場合には、響板に張られた弦の位置が前後方向にずれることにより、ハンマーストロークが変化する。さらに、工場出荷後における輸送中の振動などによって、ハンマーの位置などが前後方向にずれることがあり、それによってもハンマーストロークが変化する。このように、ハンマーストロークが変化すると、ピアノ音の音量が変化するとともに、打弦のタイミングもずれる。例えばハンマーストロークが長い場合には、同じ力で押鍵しても、ハンマーの打弦速度が大きくなることによって、ピアノ音の音量が大きくなるとともに、打弦のタイミングが遅くなる。このため、ハンマーストロークを調整する機能を備えたハンマーレール装置として、例えば特許文献１に開示されたものが知られている。
【０００４】
図４は、このハンマーレール装置を示しており、同図中の符号５１は、アップライトピアノの弦、５２はハンマーである。ハンマーレール装置５０は、ピアノ本体の左右の端部に設けられたブラケット５３（１つのみ図示）と、両ブラケット５３の間に渡されたハンマーレール５４と、各ブラケット５３に埋め込まれた円板状の回動体５５と、ブラケット５３にねじ込まれ、先端が回動体５５の周面に当接するビス５６などで構成されている。ブラケット５３は、前方に延びるアーム部５３ａを有し、その上面にはフェルト５３ｂが貼り付けられている。ハンマーレール５４の下面には、ハンマーレールフォーク５７が一体に取り付けられており、ハンマーレールフォーク５７の先端部５７ａが回動体５５に係合している。それにより、ハンマーレール５４は、ハンマーレールフォーク５７を介して、回動体５５に回動自在に取り付けられるとともに、フェルト５３ｂを介してアーム部５３ａに載置されている。また、ハンマー５２は、離鍵状態において、そのハンマーシャンク５２ａがハンマーレール５４の背面に、フェルト５４ａを介して当接した状態で、ハンマーレール５４に支持されている。
【０００５】
このハンマーレール装置５０では、ビス５６を緩め、回動体５５の操作溝５５ａにドライバ（図示せず）を差し込んで、回動体５５を図４の例えば反時計方向に回すと、ハンマーレールフォーク５７が弦側、すなわち後側に引き寄せられ、それと一緒にハンマーレール５４が後方に移動する。それに伴い、離鍵状態においてハンマーレール５４に当接した状態でのハンマー５２の静止位置（以下「ハンマーの離鍵位置」という）も後方に移動することによって、ハンマーストロークＬが短くなる。そして、緩めたビス５６を締め付け、回動体５５を固定することによって、ハンマーレール５４が移動した位置に固定される。
【０００６】
しかし、上述した従来のハンマーレール装置５０では、ハンマーストロークＬを調整する際には、ビス５６を緩めた後、ドライバを用いて回動体５５を所望の位置まで回し、その状態を維持したまま、再びビス５６を締め付けるので、その作業が非常に煩雑で行いにくい。
【０００７】
また、ビス５６によって、ハンマーレール５４の回動中心に非常に近い回動体５５の部分を締め付けるので、回動体５５をしっかりと固定するには、非常に大きな締め付け力が必要になる。同じ理由から、ハンマー５２がハンマーレール５４に当接したときなどに、回動体５５がビス５６の締め付け力に抗して回動しやすく、それに伴い、ハンマーレール５４の位置が前後方向にずれてしまい、最適なハンマーストロークＬを維持することができなくなる。
【０００８】
本発明は、このような課題を解決するためになされたものであり、ハンマーストロークを容易かつ適切に調整でき、それにより、ピアノ音の音量および打弦タイミングを良好に維持することができるアップライト型ピアノのハンマーレール装置を提供することを目的とする。
【０００９】
【特許文献１】実開昭５７−１１５８９号
【発明の開示】
【課題を解決するための手段】
【００１０】
この目的を達成するため、請求項１に係る発明は、鍵の押鍵に伴って後方の弦に向かって回動する複数のハンマーを、離鍵状態において支持するアップライト型ピアノのハンマーレール装置であって、左右方向に並んで設けられるとともに、上下方向に貫通するねじ孔が形成された複数のブラケットと、複数のブラケットのねじ孔に進退自在にねじ込まれたねじと、複数のブラケットの上方に配置され、ねじの上端部に一体に設けられたレール載置部と、前後方向に延び、後端部において、複数のブラケットの各々に回動自在に取り付けられたアームと、左右方向に延び、アームを介して複数のブラケットに回動自在に連結され、レール載置部に載置されるとともに、離鍵状態において、複数のハンマーを支持するハンマーレールと、を備えることを特徴とする。
【００１１】
このアップライト型ピアノのハンマーレール装置によれば、ブラケットに形成されたねじ孔にねじ込まれたねじを回し、上下方向に進退させることによって、ねじの上端部に設けられたレール載置部が上方または下方に移動する。それにより、レール載置部に載置されたハンマーレールが、アームの後端部を中心として回動することによって、後方または前方に移動する。このハンマーレールの移動に伴い、ハンマーの離鍵位置が後方または前方に移動することによって、ハンマーストロークが変化する。例えば、レール載置部を上方に移動させたときには、ハンマーレールが後方、すなわち弦側に回動し、それに伴い、ハンマーの離鍵位置が後方に移動することによって、ハンマーストロークが短くなる。
【００１２】
以上のように、ねじのねじ込み量を調整するだけで、ハンマーストロークを容易に調整することができる。また、ハンマーレールが、ねじ込み量を調整されたねじと一体のレール載置部に載置されているので、ビスの締め付けによって回動体を固定する従来の場合と異なり、ハンマーストロークの位置が前後方向に大きくずれるのを防止でき、ハンマーストロークを安定して保つことができる。以上により、ピアノ音の音量および打弦タイミングを良好に維持することができる。
【発明を実施するための最良の形態】
【００１３】
以下、図面を参照しながら、本発明の好ましい実施形態を詳細に説明する。図１は、本発明の実施形態によるハンマーレール装置１を適用したアコースティックタイプのアップライトピアノ２（アップライト型ピアノ）を示している。なお、以下の説明では、アップライトピアノ２を演奏者から見た場合の手前側（同図の右側）を「前」、奥側（同図の左側）を「後」とし、さらに左側および右側を「左」および「右」として、説明を行うものとする。
【００１４】
図１に示すように、このアップライトピアノ２は、複数の鍵４（１つのみ図示）と、鍵４ごとに設けられ、弦Ｓを打弦するハンマー５と、鍵４の後部上方に設けられたアクション６と、本発明に係るハンマーレール装置１などを備えている。
【００１５】
鍵４は、前後方向に延び、その中央において、筬１３に立設されたバランスピン１３ａを中心として筬１３に回動自在に支持されている。筬１３は、棚板３に載せられ、これに取り付けられている。
【００１６】
ハンマー５は、断面円形の細長い棒状のハンマーシャンク５ａと、ハンマーシャンク５ａの上端部に設けられたハンマーヘッド５ｂを有している。ハンマーシャンク５ａは、アクション６の後述するバット９に立設されており、上下方向に延びている。
【００１７】
アクション６は、鍵４の押鍵に伴ってハンマー５を回動させるためのものであり、ウイッペン７、ジャック８およびバット９を有しており、左右方向に長く延びるセンターレール１０に取り付けられている。ウイッペン７およびバット９は、上記のセンターレール１０に取り付けられたウイッペンフレンジ１１およびバットフレンジ１２に、それぞれ回動自在に支持されている。ジャック８は、ウイッペン７に回動自在に取り付けられている。
【００１８】
図１および図２に示すように、本発明に係るハンマーレール装置１は、３つのブラケット１５（１つのみ図示）と、各ブラケット１５にねじ込まれたねじ１６と、ねじ１６の上端部に一体に設けられたレール載置部１７と、レール載置部１７に載置されたハンマーレール２１などで構成されている。
【００１９】
ブラケット１５は、棚板３の後端部の左端部、中央および右端部にそれぞれ設けられている。各ブラケット１５は、上下方向に延びており、その上端部が、アクションボルトによりフレーム（いずれも図示せず）に固定されるとともに、下端部が、棚板３に載置されたベース（図示せず）に固定されている。また、ブラケット１５は、その中央から前方に延びるアーム部１５ａを有している。アーム部１５ａの前端部は、上方に突出し、ねじ取付け部１５ｄになっている。このねじ取付け部１５ｄの上面は、矩形の平面に形成されている。また、ねじ取付け部１５ｄには、上下方向に貫通するねじ孔１５ｂが形成されている（図２参照）。ブラケット１５の中央には、左右方向に貫通する孔１５ｃが形成されており、ブラケット１５の下部には、前述したセンターレール１０が固定されている。
【００２０】
ねじ１６は、例えば鋼で構成されており、図３に示すように、頭部のない一定径に形成され、その外周面にねじ部を有するとともに、ねじ１６の下面には、ドライバ（図示せず）用の操作溝１６ａが形成されている。
【００２１】
図１〜図３に示すように、レール載置部１７は、基部１８と、基部１８の上面に設けられた緩衝材１９で構成されている。基部１８は、例えばＡＢＳ樹脂などの合成樹脂で構成されており、ねじ取付け部１５ｄの上面とほぼ同じ大きさの矩形の厚い板状に形成されている。基部１８の下面の中央には、穴１８ａが形成されており、この穴１８ａにねじ１６の先端部がはめ込まれ、接着などによって、固定されている。
【００２２】
緩衝材１９は、例えばフェルトで構成されており、基部１８と同じ大きさおよび厚さを有するシート状に形成され、基部１８の上面に、例えば接着によって、貼り付けられている。
【００２３】
以上の構成のレール載置部１７は、ねじ取付け部１５ｄのねじ孔１５ｂにねじ１６を上方からねじ込むことによって、ブラケット１５に取り付けられている。
【００２４】
ハンマーレール２１は、例えばアルミニウム合金の押出し成形品によって構成されており、左右の端部のブラケット１５の間に左右方向に延びている。図１に示すように、ハンマーレール２１は、扇状の中空の断面を有するとともに、その背面の上部には、長さ方向の全体にわたって、例えばフェルトで構成された緩衝材２１ａが貼り付けられている。また、ハンマーレール２１の下面には、３つのブラケット１５に対応する左端部、中央および右端部に、それぞれアーム２２の前端部が固定されている（１つのみ図示）。
【００２５】
アーム２２は、鋼などの金属で構成され、前上がりに斜めにまっすぐ延びている。アーム２２の後端部には、側方に突出する連結部２２ａが形成されており、連結部２２ａが、対応するブラケット１５の孔１５ｃに回動自在にはめ込まれている。それにより、ハンマーレール２１は、ブラケット１５に、連結部２２ａを中心として、水平軸線回りに回動自在に連結されるとともに、レール載置部１７に緩衝材１９を介して載置されている。また、ハンマー５は、離鍵状態において、ハンマーシャンク５ａがハンマーレール２１の背面に緩衝材２１ａを介して斜めに当接した状態で、ハンマーレール２１に支持されている。
【００２６】
以上の構成のハンマーレール装置１では、ハンマーストロークＬの調整が例えば次のようにして行われる。すなわち、ねじ取付け部１５ｄに取り付けたねじ１６の操作溝１６ａにドライバを差し込み、ねじ１６をドライバで回し、上下方向に進退させることによって、ねじ１６と一体のレール載置部１７が上方または下方に移動する。それにより、レール載置部１７に載置されたハンマーレール２１が、アーム２２の連結部２２ａを中心として回動することによって、後方または前方に移動する。このハンマーレール２１の移動に伴い、ハンマー５の離鍵位置が後方または前方に移動することによって、ハンマーストロークＬが変化する。例えば、図２に２点鎖線で示す状態からねじ１６をねじ込み、図２の実線位置までレール載置部１７を上方に移動させたときには、ハンマーレール２１が後方に回動し、それに伴い、ハンマー５の離鍵位置が後方に移動することによって、ハンマーストロークＬが短くなる。
【００２７】
以上のように、本実施形態によれば、ねじ１６のねじ込み量を調整するだけで、ハンマーストロークＬを容易に調整することができる。また、ハンマーレール２１が、ねじ１６と一体のレール載置部１７に載置されているので、ビスの締め付けによって回動体を固定する従来の場合と異なり、ハンマーレール２１の位置が前後方向に大きくずれるのを防止でき、ハンマーストロークＬを安定して保つことができる。以上により、ピアノ音の音量および打弦タイミングを良好に維持することができる。
【００２８】
また、レール載置部１７にハンマーレール２１を載置したまま、ねじ１６を下方から操作することによってハンマーストロークＬを調整するので、その操作が容易であるとともに、ハンマーストロークＬを直接、確認しながらその調整を容易に行うことができる。
【００２９】
なお、本発明は、説明した実施形態に限定されることなく、種々の態様で実施することができる。例えば、実施形態では、ねじ１６と基部１８を別個に構成しているが、両者を一体に構成してもよい。また、実施形態に示した構成部品の材料はあくまで例示であり、他の適当な材料のものを採用できるのはもちろんである。
【００３０】
さらに、実施形態は、本発明をアコースティックタイプのアップライトピアノに適用した例であるが、本発明はこれに限らず、消音タイプや自動演奏タイプの他のタイプのアップライト型ピアノにも適用することが可能である。その他、本発明の趣旨の範囲内で、細部を適宜変更することが可能である。
【図面の簡単な説明】
【００３１】
【図１】本発明の実施形態によるハンマーレール装置、およびこれを適用したアップライトピアノの概略構成を示す図である。
【図２】図１の部分拡大図である。
【図３】ねじおよびレール載置部の分解斜視図である。
【図４】従来のハンマーレール装置を適用したアップライトピアノの側面図である。
【符号の説明】
【００３２】
１  ハンマーレール装置
２  アップライトピアノ（アップライト型ピアノ）
４  鍵
５  ハンマー
１５  ブラケット
１５ｂ  ねじ孔
１６  ねじ
１７  レール載置部
２１  ハンマーレール
２２  アーム
Ｓ  弦
【図１】
2008020518.tif 000003
【図２】
2008020518.tif 000004
【図３】
2008020518.tif 000005
【図４】
2008020518.tif 000006